(57)【要約】【課題】放熱効率を維持し、かつ施工性を高くできる光源ユニット及びそれを備えた照明器具を提供する。【解決手段】光源ユニット１０は、第１面に光源部が取り付けられる取付板２と、光源部に電力を供給する電源装置３と、取付板２の第１面と反対の第２面２ａｂに設けられ電源装置３が取り付けられる電源取付板４と、を備えている。電源取付板４は、電源装置３を保持し第２面２ａｂと所定の間隔を空けて対向して配置される保持板４ａを有している。取付板２と電源取付板４とは、取付板２と保持板４ａとに挟まれた空間が外部と連なるように隙間１０ｃｃを有する。【選択図】図１
2017191732.tif 000002
【特許請求の範囲】
【請求項１】
光源部と、第１面に前記光源部が取り付けられる取付板と、前記光源部に電力を供給する電源装置と、前記取付板の第１面と反対の第２面に設けられ前記電源装置が取り付けられる電源取付板と、を備え、
前記電源取付板は、前記電源装置を保持し前記第２面と所定の間隔を空けて対向して配置される保持板を有し、
前記取付板と前記電源取付板とは、前記取付板と前記保持板とに挟まれた空間が外部と連なる隙間を有することを特徴とする光源ユニット。
【請求項２】
前記電源装置は、前記取付板の中央部よりも外側の外周部に設けられていることを特徴とする請求項１に記載の光源ユニット。
【請求項３】
前記電源取付板は、前記保持板の端部から前記取付板に向かって突出する突出板を有し、
前記隙間は、前記突出板と前記取付板との間に設けられることを特徴とする請求項１又は請求項２に記載の光源ユニット。
【請求項４】
前記電源取付板は、前記電源装置よりも大きく形成されており、前記隙間は、前記電源取付板において、前記電源装置から離れた位置に形成されることを特徴とする請求項３に記載の光源ユニット。
【請求項５】
請求項１ないし請求項４のいずれか１項に記載の前記光源ユニットと、該光源ユニットを保持する器具本体と、を備えたことを特徴とする照明器具。
【発明の詳細な説明】
【技術分野】
【０００１】
本発明は、光源ユニット及びそれを備えた照明器具に関し、特に電源装置を有する光源ユニット及びそれを備えた照明器具に関する。
【背景技術】
【０００２】
従来、照明器具には、電源装置を備えた光源ユニットが利用されている。
【０００３】
この種の照明器具としては、直方体形状の本体と、点灯装置が収納される安定器ボックスと、を備えた構造が知られている（たとえば、特許文献１）。本体内には、光源モジュールが収納されている。照明器具は、本体の側面部から点灯装置が突出するように取り付けられている。
【０００４】
特許文献１の照明器具では、点灯装置が本体の横に配置されているので、光源モジュールの光源で発生した熱を外部に放熱することができ、放熱効率が高い、としている。
【先行技術文献】
【特許文献】
【０００５】
【特許文献１】特開２０１４−７８４５６号公報
【発明の概要】
【発明が解決しようとする課題】
【０００６】
ところで、光源部を備えた光源ユニット及びそれを備えた照明器具では、放熱効率を維持し、かつ施工性の高い構造が求められており、上述の特許文献１の構成だけでは十分でなく、更なる改良が求められている。
【０００７】
本発明の目的は、放熱効率を維持し、かつ施工性の高い光源ユニット及びそれを備えた照明器具を提供する。
【課題を解決するための手段】
【０００８】
本発明に係る一態様の光源ユニットは、光源部と、取付板と、電源装置と、電源取付板と、を備えている。上記取付板は、第１面に上記光源部が取り付けられる。上記電源装置は、上記光源部に電力を供給する。上記電源取付板は、上記取付板の上記第１面と反対の第２面に設けられる。上記電源取付板は、上記電源装置が取り付けられる。上記電源取付板は、保持板を有している。上記保持板は、上記電源装置を保持する。上記保持板は、上記第２面と所定の間隔を空けて対向して配置される。上記取付板と上記電源取付板とは、上記取付板と上記保持板とに挟まれた空間が外部と連なる隙間を有する。
【０００９】
本発明に係る一態様の照明器具は、上記光源ユニットと、器具本体と、を備えている。上記器具本体は、光源ユニットを保持する。
【発明の効果】
【００１０】
本発明の光源ユニット及びそれを備えた照明器具は、放熱効率を維持し、かつ施工性を高くできる。
【図面の簡単な説明】
【００１１】
【図１】図１は、本発明の一実施形態の光源ユニット及び照明器具を示す背面側の分解斜視図である。
【図２】図２は、同上の照明器具を示す正面側の分解斜視図である。
【図３】図３は、同上の照明器具を示す正面側の斜視図である。
【図４】図４は、同上の照明器具の要部を示す一部破断した断面斜視図である。
【図５】図５は、同上の照明器具の別の要部を示す背面側の分解斜視図である。
【図６】図６は、同上の照明器具の他の要部を示す一部破断した断面斜視図である。
【図７】図７は、同上の照明器具の更に別の要部を示す正面側の分解斜視図である。
【図８】図８は、同上の光源ユニットを示す回路図である。
【発明を実施するための形態】
【００１２】
以下では、本実施形態の光源ユニット１０について、図１、図２、図４ないし図８を参照して説明し、照明器具３０について、図１ないし図７を参照して説明する。図中においては、同じ部材に対し、同じ符号を付して重複する説明を省略する。各図面が示す部材の大きさや位置関係は、説明を明確にするために誇張していることがある。以下の説明において、本実施形態に含まれる各要素は、複数の要素を一の部材で構成して一の部材で複数の要素を兼用する態様としてもよいし、一の部材の機能を複数の部材で分担して実現してもよい。
【００１３】
本実施形態の光源ユニット１０は、図１及び図２に示すように、光源部１と、取付板２と、電源装置３と、電源取付板４と、を備えている。取付板２は、第１面２ａａに光源部１が取り付けられる。電源装置３は、光源部１に電力を供給する。電源取付板４は、取付板２の第１面２ａａと反対の第２面２ａｂに設けられる。電源取付板４は、電源装置３が取り付けられる。電源取付板４は、保持板４ａを有している。保持板４ａは、電源装置３を保持する。保持板４ａは、第２面２ａｂと所定の間隔を空けて対向して配置される。取付板２と電源取付板４とは、図１及び図６に示すように、取付板２と保持板４ａとに挟まれた空間１０ａａが外部と連なる隙間１０ｃｃを有する。
【００１４】
本実施形態の光源ユニット１０では、取付板２と保持板４ａとに挟まれた空間１０ａａが外部と連なる隙間１０ｃｃを有しているので、隙間１０ｃｃを有しない構成と比較して、放熱効率を向上できる。本実施形態の光源ユニット１０は、電源取付板４が取付板２と突出板４ｂとの間に隙間１０ｃｃを有する構成で放熱効率を向上できるので、より施工性を高くできる。
【００１５】
以下では、本実施形態の光源ユニット１０の各構成について、より詳細に説明する。本実施形態の光源ユニット１０は、器具本体３１に保持されて、照明器具３０の一部を構成する。
【００１６】
光源ユニット１０は、図１及び図２に示すように、光源部１と取付板２と電源装置３と電源取付板４とに加え、カバー部材５と、反射部材６と、無線モジュール７と、引掛金具８ａと、を備えている。
【００１７】
光源部１は、図２に示すように、発光素子１ａと、実装基板１ｂと、を有している。発光素子１ａは、ＬＥＤ(Light Emitting Diode)である。発光素子１ａは、複数の種類のＬＥＤが利用されている。複数の種類のＬＥＤは、たとえば、昼白色の光が発光可能なＬＥＤと、昼光色の光が発光可能なＬＥＤと、が挙げられる。発光素子１ａは、実装基板１ｂに実装される。発光素子１ａは、はんだにより、実装基板１ｂに設けられた導体と電気的に接続されている。
【００１８】
ＬＥＤは、たとえば、ＬＥＤチップと、ＬＥＤチップを収納する凹所が設けられたパッケージと、凹所を封止する透光性の封止材と、を有している。ＬＥＤチップは、たとえば、青色光が発光可能な青色ＬＥＤチップが挙げられる。封止材は、透光性材料により形成されている。封止材の透光性材料としては、たとえば、シリコーン樹脂、若しくはエポキシ樹脂が挙げられる。封止材の透光性材料には、蛍光体が含有されている。蛍光体は、たとえば、青色ＬＥＤチップから放射される青色光により励起されて、黄色光を放射する黄色蛍光体が挙げられる。また、蛍光体は、たとえば、青色ＬＥＤチップから放射される青色光により励起されて、赤色光を放射する赤色蛍光体が挙げられる。ＬＥＤは、青色ＬＥＤチップから放射される青色光と、黄色蛍光体から放射される黄色光と、赤色蛍光体から放射される赤色光と、の混色光を放射できる。ＬＥＤは、蛍光体の種類及び蛍光体の含有量が適宜に調整されていれば、混色光として、たとえば、昼白色、若しくは昼光色の光を放射できる。ＬＥＤは、封止材の透光性材料に、蛍光体が混合されていなくともよい。ＬＥＤは、たとえば、ＬＥＤチップとパッケージと封止材とを備えた表面実装型発光ダイオードであってもよいし、ＬＥＤチップ単体だけであってもよい。光源部１は、発光素子１ａにＬＥＤを利用する構成だけに限られない。発光素子１ａは、有機エレクトロルミネッセンス素子であってもよい。
【００１９】
実装基板１ｂは、図２に示すように、長尺の矩形平板状の外形形状をしている。実装基板１ｂは、発光素子１ａと電気的に接続される導体を有している。導体は、複数の発光素子１ａを電気的に直列接続する。実装基板１ｂの表面には、複数の発光素子１ａが、実装基板１ｂの短手方向における中央部において、実装基板１ｂの長手方向に沿って２列に並べて実装されている。複数の発光素子１ａそれぞれは、はんだにより、導体と電気的に接続される。複数の発光素子１ａは、実装基板１ｂの長手方向に沿って、複数の種類のＬＥＤのうち、同じ種類のＬＥＤが連続して配置されないように、実装基板１ｂの長手方向に沿って、実装される。実装基板１ｂは、複数の種類のＬＥＤごとに明るさを調整できるように、複数の種類のＬＥＤのうち、同じ種類のＬＥＤを電気的に直列に接続させている。実装基板１ｂには、図２及び図４に示すように、厚み方向に貫通する取付孔１ｂｃを有している。
【００２０】
実装基板１ｂは、たとえば、ガラスエポキシ樹脂基板が挙げられる。実装基板１ｂは、ガラスエポキシ樹脂基板だけに限られず、たとえば、セラミック基板、若しくは金属ベースプリント配線板であってもよい。実装基板１ｂは、コネクタ１ｃが実装されている。コネクタ１ｃは、実装基板１ｂの長手方向の一端部に配置されている。コネクタ１ｃは、発光素子１ａに給電できるように導体と電気的に接続されている。実装基板１ｂは、コネクタ１ｃと接続された電線が、電源装置３と電気的に接続される。
【００２１】
取付板２は、図１及び図２に示すように、矩形板状の外形形状をしている。取付板２は、底部２ａと、一対の側板部２ｂと、一対の側壁部２ｃと、を有している。底部２ａは、正面視において、矩形状に形成されている。一対の側板部２ｂは、底部２ａの長手方向の両端において、底部２ａの短手方向に沿って設けられている。一対の側板部２ｂそれぞれは、底部２ａの厚み方向に沿って、底部２ａから突出する。一対の側板部２ｂは、対向して配置されている。一対の側板部２ｂのそれぞれは、先端が互いに近づく向きに突出する突板２ｂａを有している。突板２ｂａは、厚み方向に貫通する矩形の孔部２ｃｃが設けられている。一対の側板部２ｂは、長手方向と直交する断面視において、Ｌ字状の外形形状をしている。
【００２２】
一対の側壁部２ｃは、底部２ａの短手方向の両端において、底部２ａの長手方向に沿って設けられている。一対の側壁部２ｃそれぞれは、底部２ａの厚み方向に沿って、底部２ａから突出する。一対の側壁部２ｃは、対向して配置されている。一対の側壁部２ｃのそれぞれは、先端が互いに近づく向きに突出する突片２ｃａを有している。側壁部２ｃは、長手方向と直交する断面視において、Ｌ字状の外形形状をしている。
【００２３】
取付板２は、図２に示すように、底部２ａの所定位置に実装基板１ｂが配置される。実装基板１ｂは、取付板２における底部２ａに取り付けられている。取付板２は、長手方向に沿って複数の実装基板１ｂが互いに平行となるように、短手方向に実装基板１ｂが並べられている。複数の実装基板１ｂは、隣接する実装基板１ｂとの間隔が何れも等しく配置されている。
【００２４】
取付板２は、図２及び図４に示すように、係止片２ｓと、引掛片２ｔを有している。係止片２ｓと係止片２ｓとは、底部２ａの第１面２ａａから突出する。取付板２は、図１、図５及び図６に示すように、差込片２ｕを有している。差込片２ｕは、底部２ａの第２面２ａｂから突出する。
【００２５】
取付板２は、複数の係止片２ｓを備えている。複数の係止片２ｓのそれぞれは、取付板２の短手方向から見て、Ｌ字状の外形形状をしている。係止片２ｓは、取付板２の一部を切り起こすことにより形成されている。係止片２ｓは、実装基板１ｂの取付孔１ｂｃに挿入される。取付板２は、Ｌ字状の係止片２ｓの先端が実装基板１ｂの取付孔１ｂｃの周部に引っ掛けられることで、実装基板１ｂを保持する。取付板２は、複数の引掛片２ｔを備えている。複数の引掛片２ｔのそれぞれは、取付板２の長手方向に直交する断面視において、Ｓ字状の外形形状をしている。引掛片２ｔは、取付板２の一部を切り起こすことにより形成されている。引掛片２ｔは、カバー部材５を底部２ａに押し付ける。取付板２は、引掛片２ｔがカバー部材５を底部２ａに押し付けることで、カバー部材５を保持する。取付板２は、複数の差込片２ｕを備えている。差込片２ｕは、取付板２の一部を切り起こすことにより形成されている。差込片２ｕは、反射部材６に挿し込まれ、反射部材６を保持する。
【００２６】
取付板２は、たとえば、鋼板で形成される。取付板２の材料は、鋼板だけに限られず、アルミニウム、銅、若しくはステンレスなどの金属材料により形成されてもよい。取付板２は、底部２ａの４つの辺から延びる金属片が同じ向きに曲げ起こされることで、一対の側板部２ｂと、一対の側壁部２ｃとが形成される。取付板２は、底部２ａの４つの辺が同じ向きに曲げ起こされることで、機械的強度の向上が図られている。光源ユニット１０では、金属材料より形成された取付板２に実装基板１ｂを接するように配置させることで、取付板２を光源部１の放熱板として利用できる。取付板２は、樹脂に比べて熱伝導性の高い鋼板により形成されている場合、光源部１で発生した熱を、外部に効率よく放熱できる。取付板２は、鋼板の打ち抜き加工及び曲げ加工を施すことで形成される。
【００２７】
電源装置３は、図１、図２、図５ないし図７に示すように、ハウジング３ａを有している。ハウジング３ａは、一面が開放された長尺の矩形箱状の外形形状をしている。ハウジング３ａは、底片３ａａと、一対の第１側片３ａｂと、一対の第２側片３ａｃと、を有している。一対の第１側片３ａｂは、底片３ａａの長手方向の両端縁において、底片３ａａの短手方向に沿って設けられている。一対の第１側片３ａｂそれぞれは、底片３ａａの厚み方向に沿って、底片３ａａから突出している。一対の第１側片３ａｂのうち、一方の第１側片３ａｂは、図５及び図７に示すように、矩形の窓孔３ａｆを有している。一対の第２側片３ａｃは、底片３ａａの短手方向の両端縁において、底片３ａａの長手方向に沿って設けられている。一対の第２側片３ａｃそれぞれは、底片３ａａの厚み方向に沿って、底片３ａａから突出している。
【００２８】
ハウジング３ａは、一対の第２側片３ａｃのうち、一方の第２側片３ａｃの先端から外向きに突出する固定板３ａｄを有している。固定板３ａｄは、先端が折り曲げられ、ハウジング３ａの長手方向と直交する断面視において、Ｌ字状の外形形状をしている。ハウジング３ａは、開口が取付板２における底部２ａで塞がれるように配置される。固定板３ａｄは、図６及び図７に示すように、長手方向の中央部に厚み方向に貫通する開口部３ａｇを有している。ハウジング３ａは、開口部３ａｇを塞ぐ蓋板３ｃを介して、取付ねじ３ｂより電源取付板４にねじ止めされる。電源装置３は、ハウジング３ａの固定板３ａｄが電源取付板４と接するようにねじ止めされるので、固定板３ａｄを介して電源取付板４との熱伝導効率を高めることができる。
【００２９】
一対の第２側片３ａｃのうち、他方の第２側片３ａｃには、図７に示すように、長手方向の中央部及び一端部にそれぞれ突起３ａｅが設けられている。突起３ａｅは、中空の球体を４分の１に分割した外形形状をしている。突起３ａｅは、第２側片３ａｃの表面から外向きに突出する。
【００３０】
ハウジング３ａは、金属製の板材で形成されている。ハウジング３ａは、金属製の板材の打ち抜き加工及び折り曲げ加工によって形成される。
【００３１】
電源装置３は、ハウジング３ａの内部に電源基板が収容されている。電源基板は、実装基板１ｂに所定の点灯電力を供給し、発光素子１ａを点灯する回路が形成されている。電源基板には、複数種の電装部品が実装される。複数種の電装部品としては、たとえば、トランス、ダイオード、コンデンサ、スイッチング素子及びスイッチング素子をスイッチング制御するドライブＩＣ(Integrated Circuit)が挙げられる。複数種の電装部品は、適宜に電気的に接続され、発光素子１ａの点灯電力を生成するための電源回路を構成する。電源回路は、昇圧チョッパ回路及び降圧チョッパ回路を備えた構成が挙げられる。
【００３２】
電源取付板４は、図１、図５ないし図７に示すように、保持板４ａに加え、突出板４ｂと、側壁板４ｃと、固定片４ｄと、を有している。保持板４ａは、長尺の矩形平板状の外形形状をしている。保持板４ａは、長手方向が電源装置３のハウジング３ａの長手方向よりも若干長く形成されている。保持板４ａは、短手方向が電源装置３のハウジング３ａの短手方向よりも長く形成されている。言い換えれば、電源取付板４は、背面視において、電源装置３よりも大きく形成されている。保持板４ａは、図５に示すように、長手方向の中央部において、短手方向の一端側に第１挿孔４ａｂが設けられている。第１挿孔４ａｂは、保持板４ａの厚み方向に貫通している。保持板４ａは、長手方向の中央部において、短手方向の中央部に第２挿孔４ａｃが設けられている。第１挿孔４ａｂは、第２挿孔４ａｃよりも大きく形成されている。保持板４ａは、第１挿孔４ａｂの内縁を覆うように、図６及び図７に示すケーブルグランド４ｇが設けられる。ケーブルグランド４ｇには、電源線及び信号線が挿通される。第２挿孔４ａｃは、図６に示すように、電源装置３のハウジング３ａを固定する取付ねじ３ｂがねじ止めされる。
【００３３】
突出板４ｂは、保持板４ａの短手方向の一端と反対の他端において、保持板４ａの長手方向に沿って設けられている。突出板４ｂは、長尺の矩形状の外形形状をしている。突出板４ｂは、保持板４ａの厚み方向において、側壁板４ｃと反対側に突出する。言い換えれば、突出板４ｂは、保持板４ａの端部から取付板２に向かって突出する。突出板４ｂは、取付板２との間に隙間１０ｃｃを形成する。
【００３４】
側壁板４ｃは、保持板４ａの短手方向の一端において、保持板４ａの長手方向に沿うように配置されている。側壁板４ｃは、側壁片４ｃａと、突部４ｃｂと、を有している。側壁片４ｃａは、長尺の矩形平板状の外形形状をしている。側壁片４ｃａは、保持板４ａの長手方向に沿って、保持板４ａの短手方向の一端に設けられている。側壁片４ｃａは、保持板４ａから突出板４ｂが突出する向きと反対側の向きに突出している。側壁片４ｃａは、厚み方向に貫通する開孔４ｃｃが設けられている。開孔４ｃｃは、ハウジング３ａの突起３ａｅに対応して設けられている。突部４ｃｂは、側壁片４ｃａにおける保持板４ａと反対の先端縁に配置されている。突部４ｃｂは、長尺の矩形平板状の外形形状をしている。突部４ｃｂは、側壁片４ｃａの厚み方向に沿って、側壁片４ｃａから突出する。突部４ｃｂは、保持板４ａと平行に対向して配置されている。突部４ｃｂと保持板４ａとは、電源装置３のハウジング３ａを挟み込む。
【００３５】
固定片４ｄは、保持板４ａの長手方向の両端において、短手方向に沿って配置されている。固定片４ｄは、長尺に形成されている。固定片４ｄは、支持壁４ｄａと、底壁片４ｄｂと、を有している。支持壁４ｄａは、保持板４ａの厚み方向に沿って、保持板４ａから突出している。支持壁４ｄａは、長尺の矩形板状の外形形状をしている。底壁片４ｄｂは、長尺の矩形板状の外形形状をしている。底壁片４ｄｂは、支持壁４ｄａの長手方向に沿って、支持壁４ｄａの短手方向における保持板４ａと反対側に突出している。底壁片４ｄｂは、長手方向の中央部に、厚み方向に貫通する貫通孔４ｄｃを有している。
【００３６】
電源取付板４は、ねじ４ｓにより、底壁片４ｄｂが取付板２の突片２ｃａにねじ止めされる。電源取付板４は、取付板２に取り付けられた状態で、図６に示すように、保持板４ａと取付板２との間に空間１０ａａが形成される。電源取付板４は、取付板２に取り付けられた状態で、突出板４ｂと取付板２との間に隙間１０ｃｃが形成される。電源取付板４は、取付板２に取り付けられた状態で、保持板４ａと突板２ｂａとの間に間隙１０ｃｂが形成される。
【００３７】
電源取付板４は、保持板４ａと突出板４ｂと側壁板４ｃと固定片４ｄとが金属材で一体的に形成されている。電源取付板４は、金属材の打ち抜き加工及び折り曲げ加工により形成される。電源取付板４は、たとえば、鋼板で形成される。電源取付板４の材料は、鋼板だけに限られず、アルミニウム、銅、若しくはステンレスなどの金属材料により形成されてもよい。
【００３８】
カバー部材５は、図１ないし図４に示すように、カバー本体５ａと、カバーエンド５ｂと、を有している。カバー部材５は、長尺の外形形状をしている。カバー部材５は、実装基板１ｂを覆うように、取付板２に取り付けられる。
【００３９】
カバー本体５ａは、光出射部５ｃと、一対の内突片５ｄと、を有している。光出射部５ｃは、半楕円筒状の外形形状をしている。光出射部５ｃは、表面が滑らかな曲面を有していてもよいし、表面が凹凸に形成されていてもよい。光出射部５ｃは、表面の凹凸により、発光素子１ａからの光の集光又は発散に利用できる。言い換えれば、光出射部５ｃは、レンズ機能を備えていてもよい。内突片５ｄは、光出射部５ｃの短手方向の両端において、光出射部５ｃの長手方向に沿って設けられている。一対の内突片５ｄは、光出射部５ｃの短手方向の両端から互いに近づく向きに突出している。一対の内突片５ｄのそれぞれは、長尺の矩形平板状の外形形状をしている。内突片５ｄのそれぞれは、取付板２の引掛片２ｔにより底部２ａに固定される。カバー本体５ａは、光出射部５ｃと一対の内突片５ｄとが一体に形成されている。
【００４０】
カバーエンド５ｂは、カバー本体５ａにおける長手方向の両端部に設けられる。カバーエンド５ｂは、半円板状の外形形状に形成されている。カバーエンド５ｂは、図１及び図４に示すように、挟持部５ｇを備えている。挟持部５ｇは、一対の爪部５ｇａを有している。挟持部５ｇは、一対の爪部５ｇａの間で、実装基板１ｂ及び取付板２を挟み持つ。カバーエンド５ｂは、挟持部５ｇの爪部５ｇａが実装基板１ｂ及び取付板２を挟み持った状態で、カバー本体５ａを保持する。カバーエンド５ｂは、取付板２に取り付けられて、カバー本体５ａと取付板２とで形成される筒状の両端の開口を閉塞する。
【００４１】
カバー部材５は、発光素子１ａから放射された光を効率よく透過できる構成が好ましい。カバー部材５の材料としては、たとえば、ポリカーボネート樹脂、若しくはアクリル樹脂などの樹脂材料が挙げられる。カバー部材５は、たとえば、押出成形により形成される。カバー部材５は、カバー部材５を形成している透光性の樹脂材料に光拡散材が含有されていてもよい。
【００４２】
反射部材６は、図１ないし図３に示すように、隣り合うカバー部材５の間に生じるスペースに配置される。反射部材６は、一対の反射板６ａと、一対の反射板６ａそれぞれに設けられた一対の側板６ｂと、を有する。一対の反射板６ａそれぞれは、長尺の矩形平板状の外形形状をしている。一対の反射板６ａは、長手方向に沿った一方の端縁同士が繋がっている。一対の反射板６ａは、長手方向から見て、Ｖ字状の外形形状をしている。
【００４３】
反射板６ａは、反射板６ａの長手方向の中央部に開口６ａａを有している。開口６ａａは、封止カバー６ｃで覆われている。封止カバー６ｃは、長手方向から見て、Ｖ字状の外形形状をしている。封止カバー６ｃは、樹脂材料で形成されている。一対の側板６ｂは、反射板６ａの長手方向の両端部において、反射板６ａの端縁から外向きに延出されている。反射部材６は、反射板６ａが取付板２の第１面２ａａに載置されると、側板６ｂが取付板２の第２面２ａｂから突出する。反射部材６は、側板６ｂに設けられた差込孔６ｃｃに取付板２の差込片２ｕが差し込まれることで、取付板２に取り付けられる。側板６ｂは、長手方向が底部２ａの長手方向に沿うように配置される。反射部材６は、反射板６ａがカバー部材５を透過した発光素子１ａからの光を反射する反射面を構成している。反射部材６は、長方形状の金属板が曲げ加工により形成されている。
【００４４】
無線モジュール７は、ケース７ｃを有している。ケース７ｃは、配線板が内部に収納される。配線板には、無線通信を行うための電子部品が実装されている。無線モジュール７は、ケース７ｃが取付板２にねじ止めされる。無線モジュール７は、反射板６ａの開口６ａａに対応するように、取付板２に取り付けられる。
【００４５】
引掛金具８ａは、図１、図２、図３及び図５に示すように、矩形状の取付板２の端縁の中央部に配置されている。引掛金具８ａは、取付板２の端縁から外方へ突出するように、取付板２に取り付けられている。引掛金具８ａは、たとえば、ねじにより、取付板２に取り付けられる。引掛金具８ａは、取付板２の外側に突出し、器具本体３１の引掛孔３４ａａに挿入される。光源ユニット１０は、引掛金具８ａの先端部分を引掛孔３４ａａの周縁部分に引っ掛けることで、器具本体３１に吊り下げられて仮保持される。
【００４６】
以下では、光源ユニット１０の回路構成を図８に基づいて、具体的に説明する。
【００４７】
電源装置３は、入力コネクタ３ｄと、フィルタ回路３ｅと、整流器３ｆと、昇圧回路３ｇと、降圧回路３ｈと、出力コネクタ３ｉと、を備えている。電源装置３は、主制御回路３ｊと、制御電源回路３ｋと、調光制御回路３ｍと、消灯制御回路３ｎと、制御用コネクタ３ｐと、を備えている。
【００４８】
入力コネクタ３ｄは、商用交流電源などの外部電源４０と電気的に接続される。フィルタ回路３ｅは、コモンモードチョークコイル３ｅ１と、アクロス・ザ・ラインコンデンサ３ｅ２と、を有している。整流器３ｆは、ダイオードブリッジ回路が挙げられる。整流器３ｆは、フィルタ回路３ｅ及び入力コネクタ３ｄを介して、外部電源４０と交流入力端子が電気的に接続されている。整流器３ｆは、外部電源４０から供給される交流電圧・交流電流を全波整流して直流出力端子から出力する。
【００４９】
昇圧回路３ｇは、チョークコイルＬ１と、第１のスイッチ素子Ｑ１と、第１の整流素子Ｄ１と、第１の平滑コンデンサＣ１と、を有している。昇圧回路３ｇは、チョークコイルＬ１と第１のスイッチ素子Ｑ１と第１の整流素子Ｄ１と第１の平滑コンデンサＣ１とで、昇圧チョッパ回路を構成している。昇圧チョッパ回路は、力率改善回路である。昇圧回路３ｇは、整流器３ｆから出力される脈流電圧を昇圧させる。
【００５０】
降圧回路３ｈは、第２のスイッチ素子Ｑ２と、インダクタＬ２と、第２の整流素子Ｄ２と、第１抵抗Ｒ１と、第２の平滑コンデンサＣ２と、を有している。降圧回路３ｈは、第２のスイッチ素子Ｑ２とインダクタＬ２と第２の整流素子Ｄ２と第１抵抗Ｒ１と第２の平滑コンデンサＣ２とで、降圧チョッパ回路を構成している。降圧チョッパ回路は、バックコンバータである。降圧回路３ｈは、昇圧回路３ｇから出力される直流電圧を降圧させる。出力コネクタ３ｉとしては、たとえば、レセプタクルコネクタが挙げられる。出力コネクタ３ｉは、降圧回路３ｈの出力端子と電気的に接続されている。
【００５１】
主制御回路３ｊは、第１のスイッチ素子Ｑ１をスイッチングさせ、昇圧回路３ｇの出力電圧を一定に維持する。主制御回路３ｊは、第２のスイッチ素子Ｑ２をスイッチングさせ、降圧回路３ｈの出力電流を所定の目標値に一致させる。制御電源回路３ｋは、昇圧回路３ｇの出力電圧から主制御回路３ｊの動作電力を生成する。
【００５２】
制御用コネクタ３ｐは、無線モジュール７のプラグコネクタが差込接続される。制御用コネクタ３ｐとしては、レセプタクルコネクタが挙げられる。制御用コネクタ３ｐは、無線モジュール７から出力される制御信号を、調光制御回路３ｍと消灯制御回路３ｎに入力させる。
【００５３】
消灯制御回路３ｎは、制御信号に応じて、光源部１を消灯させるための消灯信号を生成して、主制御回路３ｊに出力する。主制御回路３ｊは、消灯信号を受け取ると、第２のスイッチ素子Ｑ２のスイッチングを中止して降圧回路３ｈを停止させ、光源部１を消灯する。
【００５４】
調光制御回路３ｍは、制御信号に応じて、光源部１の調光レベルを指示する調光信号を生成して主制御回路３ｊに出力する。主制御回路３ｊは、調光制御回路３ｍから受け取る調光信号に応じて、第２のスイッチ素子Ｑ２のオンデューティ比を調整する。調光制御回路３ｍは、第１抵抗Ｒ１の両端電圧から降圧回路３ｈの出力電流を検出し、出力電流の平均値を調光レベルに対応した目標値に一致させるように、調光信号を生成する。
【００５５】
無線モジュール７は、アンテナ部７ａと、通信回路部７ｂと、を備えている。通信回路部７ｂは、無線通信回路７ｈと、無線制御回路７ｊと、フォトカプラ７ｍと、信号出力部７ｎと、第２抵抗Ｒ２と、第３抵抗Ｒ３と、を備えている。無線通信回路７ｈは、アンテナ部７ａで受信した電波を媒体とする無線信号から制御指令を取得する。無線信号は、照明器具３０の外部に設けられた通信装置から送信される。電波を媒体とする無線信号には、光源部１の点灯、消灯や調光レベルを制御する制御指令が含まれる。無線通信回路７ｈは、無線信号から取得した制御指令を無線制御回路７ｊに出力する。無線通信回路７ｈは、アンテナ部７ａで受信する無線信号から制御指令だけでなく、送信元の通信装置の識別情報を取得して無線制御回路７ｊに出力する。
【００５６】
無線制御回路７ｊは、無線通信回路７ｈから取得した制御指令に対応する制御信号を出力する。無線制御回路７ｊは、無線通信回路７ｈから受け取った制御指令を伝送するための制御信号を生成する。無線制御回路７ｊは、たとえば、生成される制御信号がパルス幅変調信号の場合、制御指令の調光レベルが低くなるにつれてオンデューティ比を減少させる。無線制御回路７ｊは、マイクロコンピュータなどを利用して構成される。マイクロコンピュータには、メモリ７ｊａが内蔵されている。
【００５７】
無線制御回路７ｊは、無線通信回路７ｈから受け取った識別情報が、予めメモリ７ｊａに記憶されている識別情報と一致すれば、制御信号を生成する。無線制御回路７ｊは、無線通信回路７ｈから受け取った識別情報がメモリ７ｊａに記憶されている識別情報と一致しなければ、無線通信回路７ｈから受け取った制御指令を破棄して制御信号を生成しない。無線制御回路７ｊは、無線通信回路７ｈが複数の通信装置から無線信号を受信可能であっても、識別情報が予め登録されている特定の通信装置から送信される制御指令だけを受け入れる。無線制御回路７ｊは、制御信号が伝送される一対の伝送線と電気的に接続される。無線制御回路７ｊには、フォトカプラ７ｍの入力端子と、限流用の第２抵抗Ｒ２とが電気的に直列接続される。
【００５８】
信号出力部７ｎは、配線コードを介して、電源装置３の制御用コネクタ３ｐと電気的に接続される。配線コードは、第１電線７ｇ１と、第２電線７ｇ２と、第３電線７ｇ３と、を備えている。第１電線７ｇ１は、フォトカプラ７ｍの負極側の出力端子と、電源装置３のグランドと、を電気的に接続する。第２電線７ｇ２は、第３抵抗Ｒ３の一端と、制御電源回路３ｋの出力端子と、を電気的に接続する。第３電線７ｇ３は、第３抵抗Ｒ３の他端とフォトカプラ７ｍの正極側の出力端子との接続点を、調光制御回路３ｍ及び消灯制御回路３ｎと電気的に接続する。
【００５９】
フォトカプラ７ｍにおけるフォトトランジスタと第３抵抗Ｒ３との直列回路には、配線コードを介して、電源装置３側から一定の制御電源電圧が常に印加される。フォトカプラ７ｍは、無線制御回路７ｊからの入力電圧がハイレベルのときにローレベルとなり、入力電圧がローレベルのときにハイレベルとなる制御信号を、調光制御回路３ｍ及び消灯制御回路３ｎに出力できる。
【００６０】
以下では、光源ユニット１０の組立工程について説明する。
【００６１】
光源ユニット１０の組立工程では、発光素子１ａを実装基板１ｂに実装した光源部１を予め準備している。実装基板１ｂは、取付孔１ｂｃが取付板２の係止片２ｓに挿入されて、光源部１が取付板２に保持される。無線モジュール７は、取付板２の第１面２ａａ側にねじ止めされる。
【００６２】
次に、実装基板１ｂを覆うように、カバー部材５が取付板２に取り付けられる。カバー本体５ａは、取付板２に保持されるように、取付板２に対してカバー本体５ａがスライドされる。カバー本体５ａは、一対の内突片５ｄそれぞれが、対応する引掛片２ｔに引っ掛けられることで、取付板２に保持される。その後、カバーエンド５ｂがカバー本体５ａの長手方向の両端部に取り付けられる。
【００６３】
次に、実装基板１ｂが取り付けられた底部２ａの第１面２ａａと反対側の第２面２ａｂに、電源取付板４が取り付けられる。電源取付板４は、底壁片４ｄｂと取付板２の突片２ｃａとが重ね合された上、取付ねじ４ｓにより、底壁片４ｄｂが突片２ｃａにねじ止めされる。
【００６４】
電源装置３が電源取付板４に取り付けられ、引掛金具８ａが取付板２に取り付けられる。反射部材６は、側板６ｂの差込孔６ｃｃに差込片２ｕが差し込まれて、取付板２の第１面２ａａに取り付けられる。反射部材６は、取付板２が後述する器具本体３１に取り付けられた後に取り付けることができる。
【００６５】
以下では、本実施形態の光源ユニット１０において、放熱性を維持し、かつ施工性を高くできることについて説明する。
【００６６】
光源ユニットでは、一般に、発熱体である光源部が取付板の中央部に取り付けられ、取付板の中央部が取付板の外周部に比較して温度が高くなる傾向にある。光源ユニットでは、電源装置の温度が高くなることを抑制するため、取付板の外周部に電源装置を配置させることが考えられる。光源ユニットでは、取付板の外周部に電源装置を配置させようとする場合、外周部には周辺機器が配置される場合も多いため、配置スペースの制限も多くなる傾向にある。
【００６７】
ところで、特許文献１の照明器具では、電源装置たる点灯装置の一部を本体から突出させることで、熱を外部に放熱させている。
【００６８】
しかしながら、特許文献１の照明器具では、天井材に器具本体を埋め込ませて施工するのが難しくなるおそれがある。特許文献１の構成を利用した光源ユニットでは、施工性が低くなる傾向にある。
【００６９】
本実施形態の光源ユニット１０では、電源取付板４を有しているので、電源装置３の配置スペースの制限を低減できる。光源ユニット１０では、電源取付板４の保持板４ａが、取付板２の第２面２ａｂと対向して空間１０ａａを形成し、空間１０ａａが外部と連なるように開口する隙間１０ｃｃを有している。光源ユニット１０は、空間１０ａａが外部と連なるように隙間１０ｃｃを有しているので、取付板２と電源取付板４とで挟まれる空間１０ａａにおける空気の対流を促進させることができる。本実施形態の光源ユニット１０では、取付板２と電源取付板４とで挟まれる空間１０ａａにおける空気の対流を促進できるので、光源ユニット１０を大型化することを抑制しつつ、光源部１及び電源装置３の放熱効率を向上させることができる。言い換えれば、本実施形態の光源ユニット１０は、空間１０ａａが外部と連なるように隙間１０ｃｃを有しているので、放熱性を維持し、かつ施工性を高くできる。光源ユニット１０は、放熱が不十分で光源部１に温度むらが生ずることを抑止できる。本実施形態の光源ユニット１０では、異なる発光色を発光する２種類以上の発光素子１ａを利用する場合でも、光源部１の温度むらに起因する色ずれを抑制できる。
【００７０】
本実施形態の光源ユニット１０では、電源装置３は、取付板２の中央部よりも外側の外周部に配置されていることが好ましい。
【００７１】
本実施形態の光源ユニット１０は、電源装置３が、取付板２の中央部よりも外側の外周部に配置されているので、取付板の中央部に比較して、温度が低くなる取付板の外周部に電源装置３を配置させることができる。
【００７２】
本実施形態の光源ユニット１０では、電源取付板４は、突出板４ｂを有している。突出板４ｂは、保持板４ａの端部から取付板２に向かって突出する。隙間１０ｃｃは、突出板４ｂと取付板２との間に設けられることが好ましい。
【００７３】
本実施形態の光源ユニット１０では、隙間１０ｃｃが突出板４ｂと取付板２との間に設けられているので、空間１０ａａの空気の対流を促進させ、より効果的に放熱効率を高めることができる。本実施形態の光源ユニット１０では、保持板４ａと突板２ｂａとの間に間隙１０ｃｂを有しているので、空間１０ａａの空気の対流をより促進できる。
【００７４】
本実施形態の光源ユニット１０では、電源取付板４は、電源装置３よりも大きく形成されている。隙間１０ｃｃは、電源取付板４において、電源装置３から離れた位置に形成されていることが好ましい。
【００７５】
本実施形態の光源ユニット１０では、電源取付板４は、電源装置３よりも大きく形成されているので、より放熱効率を高めることができる。隙間１０ｃｃは、電源装置３から離れた位置に形成されているので、空間１０ａａの空気の対流をさらに促進させ、さらに放熱効率を高めることができる。本実施形態の光源ユニット１０では、反射板６ａの側板６ｂが空気の整流機能を有することで、放熱効率を高めることもできる。
【００７６】
以下では、照明器具３０の一部を構成する器具本体３１の各構成について、より詳細に説明する。
【００７７】
器具本体３１は、図１ないし図３に示すように、枠体３２と、ベース板３３と、を有している。枠体３２は、角筒状の外形形状をしている。ベース板３３は、矩形平板状の外形形状をしている。器具本体３１は、枠体３２とベース板３３とが結合されることで、一面が開放した矩形箱状に形成される。
【００７８】
枠体３２は、一対の第１側板３４と、一対の第２側板３５と、フランジ３６と、を有している。一対の第１側板３４は、互いに対向して配置されている。一対の第２側板３５は、互いに対向して配置されている。枠体３２は、一対の第１側板３４と一対の第２側板３５とが結合されて、枠状の外形形状をしている。フランジ３６は、一対の第１側板３４と一対の第２側板３５との一端から外方へ突出するように枠状の外形形状をしている。
【００７９】
第１側板３４は、第１壁板３４ａと、傾斜板３４ｂと、第１取付片３４ｃと、を有している。第１壁板３４ａは、矩形板状の外形形状をしている。第１壁板３４ａは、短手方向における一端縁において、長手方向に沿って傾斜板３４ｂが設けられている。傾斜板３４ｂは、矩形板状の外形形状をしている。傾斜板３４ｂは、第１壁板３４ａの一端縁から第１壁板３４ａの厚み方向に沿って、第１壁板３４ａから離れる向きに突出している。第１壁板３４ａは、短手方向の一端縁と反対の他端縁において、長手方向に沿って第１取付片３４ｃが設けられている。第１取付片３４ｃは、矩形板状の外形形状をしている。第１取付片３４ｃは、第１壁板３４ａの他端縁から第１壁板３４ａの厚み方向に沿って、傾斜板３４ｂが突出する方向と反対向きに突出している。第１側板３４は、第１壁板３４ａと傾斜板３４ｂと第１取付片３４ｃとが一体に形成されている。第１側板３４は、金属板により形成されている。第１側板３４は、金属板を折り曲げ加工することで形成されている。第１側板３４の材料としては、鋼板が挙げられる。第１側板３４は、鋼板の打ち抜き加工及び曲げ加工が施されることで形成される。第１側板３４の材料は、鋼板だけに限られず、たとえば、アルミニウム、ステンレスや銅合金などを採用されてもよい。
【００８０】
第２側板３５は、第２壁板３５ａと、第２取付片３５ｂと、接合片３５ｃと、を有している。第２壁板３５ａは、台形の平板状の外形形状をしている。第２取付片３５ｂは、第２壁板３５ａにおける台形の上底から第２壁板３５ａの厚み方向に沿って、突出している。第２取付片３５ｂは、矩形板状の外形形状をしている。接合片３５ｃは、第２壁板３５ａの長手方向の両端から第２壁板３５ａの短手方向に沿って、複数並んで設けられている。接合片３５ｃそれぞれは、第２壁板３５ａの厚み方向に沿って突出している。第２側板３５は、第２壁板３５ａと第２取付片３５ｂと一対の接合片３５ｃとが一体に形成されている。第２側板３５は、金属板により形成されている。第２側板３５は、金属板を折り曲げ加工することで形成されている。第２側板３５の材料としては、鋼板が挙げられる。第２側板３５は、鋼板の打ち抜き加工及び曲げ加工が施されることで形成される。
【００８１】
枠体３２では、第１側板３４は、長手方向における両端に第２側板３５がそれぞれ接合される。第１側板３４と第２側板３５とは、第２側板３５の一対の接合片３５ｃが第１側板３４の第１壁板３４ａ及び傾斜板３４ｂに各別に接合される。第１側板３４と第２側板３５との接合は、たとえば、溶接により行われる。一対の第１側板３４のうち、一方の第１側板３４の第１壁板３４ａは、長手方向の中央部に引掛孔３４ａａを有している。
【００８２】
フランジ３６は、第１側板３４における第１取付片３４ｃと反対側及び第２側板３５における第２取付片３５ｂと反対側に接合されている。フランジ３６は、金属板により形成されている。フランジ３６は、金属板を折り曲げ加工することで形成されている。フランジ３６の材料としては、鋼板が挙げられる。フランジ３６は、鋼板の打ち抜き加工及び曲げ加工が施されることで形成される。
【００８３】
ベース板３３は、矩形状の４つの辺が同じ向きに曲げ起こされた補強板３３ａを有している。ベース板３３は、補強板３３ａにより、強度の向上が図られている。ベース板３３は、第１挿通孔３３ｃと、第２挿通孔３３ｄと、を有している。第１挿通孔３３ｃは、給電用の電源線が挿通される。第２挿通孔３３ｄは、信号線が挿通される。信号線には、たとえば、調光信号が有線で伝送される。ベース板３３には、図２に示すように、第１端子台３８ａと、第２端子台３８ｂと、が取り付けられている。第１挿通孔３３ｃに挿通される電源線は、ベース板３３に固定された第１端子台３８ａと電気的に接続される。第１端子台３８ａは、接続部に電線の一端が電気的に接続される。第１端子台３８ａは、外部電源４０と、入力コネクタ３ｄと、を電気的に接続させる。入力コネクタ３ｄの差込口は、図５に示すハウジング３ａの窓孔３ａｆから外部に突出する。
【００８４】
第２端子台３８ｂは、第２挿通孔３３ｄに挿通される信号線と、電源装置３に電気的に接続される信号線とがそれぞれ接続される。調光器から信号線を介して伝送される調光信号が第２端子台３８ｂを通して電源装置３に入力される。調光器は、照明器具３０の外部に配置されている。ベース板３３は、吊りボルトが挿通される複数のボルト挿通孔３３ｅが左右方向に一列に並べて設けられる。図２では、３つのボルト挿通孔３３ｅがベース板３３に設けられている。
【００８５】
ベース板３３は、枠体３２の第１取付片３４ｃに取り付けられる。ベース板３３は、金属板により形成されている。ベース板３３の金属板としては、たとえば、鋼板が挙げられる。各第１取付片３４ｃそれぞれには、図２に示すように、複数のブリッジ３４ｆが所定の間隔を空けて並ぶように形成されている。各第１取付片３４ｃそれぞれには、ベース板３３の短手方向の両側にそれぞれブリッジ３４ｆに対応して複数の爪片３３ｇが設けられている。複数の爪片３３ｇそれぞれは、対応するブリッジ３４ｆに各別に引っ掛けられる。
【００８６】
器具本体３１は、ベース板３３のボルト挿通孔３３ｅに吊りボルトが挿通される。器具本体３１は、挿通された吊りボルトにナットが締め付けられて、吊りボルトに固定される。器具本体３１は、天井材の埋込孔に挿入され、枠体３２のフランジ３６が天井材から屋内側に露出するように、埋込配設される。フランジ３６は、埋込孔の周縁と器具本体３１との間に生じる隙間を塞ぐ。
【００８７】
枠体３２の各第２取付片３５ｂには、図２に示すように、ラッチ３７が所定の間隔を空けて２つずつ取り付けられている。ラッチ３７は、摘まみ３７ａと、支持部と、を有している。摘まみ３７ａは、直方体状の外形形状をしている。支持部は、摘まみ３７ａを回転できるように、第２取付片３５ｂに摘まみ３７ａを支持する。ラッチ３７は、第２取付片３５ｂに設けられるラッチ取付孔３５ｄに支持部が挿通されて、第２取付片３５ｂに取り付けられる。
【００８８】
次に、照明器具３０の施工工程について簡単に説明する。照明器具３０は、たとえば、天井材に直付けされる。
【００８９】
施工工程では、天井材を通して、室内側に露出する電源線及び制御線が器具本体３１の挿入孔３１ｃａに通される。器具本体３１には、天井材を通して、室内側に露出する吊ボルトが挿通孔３１ｃｂに通される。器具本体３１は、たとえば、吊ボルトにワッシャーが通された後、ナットをねじ込んで天井材に固定される。
【００９０】
次に、光源ユニット１０の引掛金具８ａを器具本体３１の対応する引掛孔３４ａａの周囲に引っ掛けて、光源ユニット１０を器具本体３１に仮保持させる。
【００９１】
照明器具３０は、埋込孔に埋め込まれた器具本体３１内に光源ユニット１０を収容する際、取付板２の孔部２ｃｃに挿通されたラッチ３７の摘まみ３７ａが９０度回転されることで、孔部２ｃｃに対して摘まみ３７ａが抜け止めされる。照明器具３０では、ラッチ３７によって、光源ユニット１０が器具本体３１に取り付けられる。
【００９２】
照明器具３０では、ラッチ３７を塞ぐように、反射部材６が取付板２取り付けられることで形成される。
【００９３】
すなわち、照明器具３０では、本実施形態の光源ユニット１０と、器具本体３１と、を備えている。器具本体３１は、光源ユニット１０を保持する。
【００９４】
照明器具３０は、天井直付け型の構造だけに限られない。照明器具３０は、器具本体３１が光源ユニット１０を保持できる限り、適宜に他の構造の照明器具に利用することもできる。また、本実施形態の光源ユニット１０及び照明器具３０は、上述の光源ユニット１０の組立工程及び照明器具３０の施工工程だけに限られず、適宜に組立及び施工を行うことができる。
【００９５】
本発明は、上述の実施形態だけに限定されず、本発明に係る技術的思想を逸脱しない範囲で、種々変更できる。
【符号の説明】
【００９６】
１  光源部
２  取付板
２ａａ  第１面
２ａｂ  第２面
３  電源装置
４  電源取付板
４ａ  保持板
４ｂ  突出板
１０ａａ  空間
１０ｃｃ  隙間
１０  光源ユニット
３０  照明器具
３１  器具本体
【図１】
2017191732.tif 000003
【図２】
2017191732.tif 000004
【図３】
2017191732.tif 000005
【図４】
2017191732.tif 000006
【図５】
2017191732.tif 000007
【図６】
2017191732.tif 000008
【図７】
2017191732.tif 000009
【図８】
2017191732.tif 000010